(57)【要約】【課題】固体光源を光源駆動回路の下限電流で駆動した場合よりもさらに消費電力を抑制できる投射型表示装置およびマルチビジョン投射型表示装置を提供することを目的とする。【解決手段】投射型映像表示装置１００は、光源用ＬＥＤ４１，４３，４５と、外部より入力される映像信号を光源用ＬＥＤ４１，４３，４５が発光する複数の色成分ごとのサブフレームに分割するとともに、各サブフレームに同期した光源用ＬＥＤ４１，４３，４５の発光タイミングを生成する信号処理手段９と、発光タイミングに従って光源用ＬＥＤ４１，４３，４５を発光駆動する光源回路４とを備えている。信号処理部３は、通常運用時に映像信号の表示分解能をｎビットとし、省電力運用時に映像信号の表示分解能をｎ−ｍビットに制限することにより、ｎ−ｍビットに制限された映像信号の表示分解能に応じて光源用ＬＥＤ４１，４３，４５の発光時間を減少させるように光源回路４を制御する。【選択図】図１
2014085463.tif 000002
【特許請求の範囲】
【請求項１】
異なる色の光を発光する複数の固体光源と、
外部より入力される映像信号を前記複数の固体光源が発光する複数の色成分ごとのサブフレームに分割するとともに、各前記サブフレームに同期した前記複数の固体光源の発光タイミングを生成する信号処理手段と、
前記信号処理手段により生成された前記複数の固体光源の発光タイミングに従って前記複数の固体光源を発光駆動する光源駆動手段とを備え、
前記信号処理手段は、通常運用時に前記映像信号の表示分解能をｎビット（ｎは２以上の整数）とし、省電力運用時に前記映像信号の表示分解能をｎ−ｍビット（ｍは１以上の整数）に制限することにより、ｎ−ｍビットに制限された前記映像信号の表示分解能に応じて前記複数の固体光源の発光時間を減少させるように前記光源駆動手段を制御する、投射型映像表示装置。
【請求項２】
前記信号処理手段は、前記省電力運用時において、ｎ−ｍビットに制限された前記映像信号の表示分解能を誤差拡散法によって補正する誤差拡散手段を備えた、請求項１記載の投射型映像表示装置。
【請求項３】
前記信号処理手段は、前記複数の色成分ごとのサブフレームを各階調ビットごとにまたは特定の階調ビットを基準とした単位に分割して複数のサブフレームを生成する、請求項１または請求項２記載の投射型映像表示装置。
【請求項４】
請求項１〜３のいずれか１つに記載の投射型映像表示装置を複数組み合わせて構成されたマルチビジョン投射型表示装置であって、
各前記信号処理手段は、前記複数の固体光源の発光時間をそれぞれ同じ割合で減少させるように各前記光源駆動手段を制御する、マルチビジョン投射型表示装置。
【発明の詳細な説明】
【技術分野】
【０００１】
本発明は、発光ダイオード等の固体光源と、ＤＭＤ（Digital-Micro mirror-Device）等の空間光変調器（Spatial-Light-Modulator）とを用いた投射型映像表示装置に関するものであって、特に消費電力の低減を目的とした固体光源の制御に関するものである。
【背景技術】
【０００２】
投射型映像表示装置では、光源としては放電ランプが広く使用されてきた。しかし、近年では、技術の進歩により、発光ダイオード（Light-Emitting-Diode：以下「ＬＥＤ」という）およびレーザーダイオードなどの固体光源の出力輝度が投射型映像表示装置の光源としての使用に耐えうるようになったことから、従来のランプ光源に代わり固体光源が使用されつつある。特にＤＭＤ（Digital-Micro mirror-Device）などの空間光変調器を用いた投射型映像表示装置では、Ｒ（赤）、Ｇ（緑）、Ｂ（青）各色の固体光源を用い、これら３色の固体光源を時分割にパルス点灯させ、空間光変調器へ与えている。
【０００３】
上記表示装置では、１フレーム分の入力映像信号は複数のサブフレームに分割され、各サブフレームにおいてＲ、Ｇ、Ｂの各色成分のデジタルデータが空間光変調器へ与えられる。各サブフレームのＲ、Ｇ、Ｂの各色の表示期間に対しては、各色の固体光源の発光期間が同期している。すなわち、入力映像信号の１フレーム内の各サブフレームにおいて、映像信号をＲ，Ｇ，Ｂの各色の成分に分解した映像がそれぞれの色でスクリーン等に投写されるので、人間の目には１フレームの期間に映像信号の同一フレームのＲ，Ｇ，Ｂの各色別の映像が視認され、これらの残存現象によってカラー映像として認識される。
【先行技術文献】
【特許文献】
【０００４】
【特許文献１】特開平１０−２６１０８０号公報
【特許文献２】特開２００６−２７６６４２号公報
【発明の概要】
【発明が解決しようとする課題】
【０００５】
しかしながら、固体光源を投射型映像表示装置の光源として使用した場合、従来のランプ光源と同等の出力輝度を得るためには、その消費電力は放電ランプのそれと同等、或いはそれ以上となってきている。一方、昨今、電力供給上の問題や環境保護の観点から、消費電力の削減が求められている。
【０００６】
複数の投射型映像表示装置の画面を配列してなるマルチビジョン投射型表示装置においては、主として道路、交通、プラント等の監視ルームに使用される事例が多く、２４時間運転にて使用される場合が多い一方で、重大事案がない場合は、その表示内容はそれほど注目されない。このため、消費電力を削減する方法として投射型映像表示装置の光源の電源をＯＦＦする方法が提案されているが、この方法では、重大事案があった時に映像が表示されておらず、重大事案に気付かない恐れがある。
【０００７】
ＬＥＤなどの固体光源を用いた投射型映像表示装置では、重大事案がない場合は、映像を表示したまま消費電力を削減する方法として、固体光源に流す電流値を小さくすることで、画面の輝度が低くなるものの表示を続けるという方法がある。つまり、パルス発光する固体光源に流す駆動電流値を低く設定することにより、消費電力を抑えることができる。
【０００８】
通常運転時は画面の輝度がより高いことが求められる一方、省電力運転時は、できるだけ消費電力を抑えることが求められる。上記の方法においては、画面の輝度を高くする場合は、固体光源に駆動電流値は高く、画面の輝度を低くして消費電力を抑える場合は、固体光源に流す駆動電流値は低くする必要があるが、高い駆動電流値と低い駆動電流値とを同じ光源駆動回路にて、駆動するためには、駆動電流値の範囲に限界があった。
【０００９】
例えば、一般的に用いられるＬＥＤ駆動回路の方式として、同期整流方式があるが、高い駆動電流値に最適化されたＬＥＤ駆動回路にて、ＬＥＤを低い駆動電流で駆動した場合、駆動電流に発生するリップル電流により、ＬＥＤの点灯輝度が安定せず、その結果、映像の表示画質に影響を及ぼすため、駆動電流には下限がある。逆に、低い駆動電流値に最適化されたＬＥＤ駆動回路にて、ＬＥＤを高い電流駆動で駆動した場合、回路による損失が大きくなり、熱が発生するため、許容できる駆動電流値には上限がある。
【００１０】
そこで、本発明は、固体光源を光源駆動回路の下限電流で駆動した場合よりもさらに消費電力を抑制できる投射型表示装置およびマルチビジョン投射型表示装置を提供することを目的とする。
【課題を解決するための手段】
【００１１】
本発明に係る投射型映像表示装置は、異なる色の光を発光する複数の固体光源と、外部より入力される映像信号を前記複数の固体光源が発光する複数の色成分ごとのサブフレームに分割するとともに、各前記サブフレームに同期した前記複数の固体光源の発光タイミングを生成する信号処理手段と、前記信号処理手段により生成された前記複数の固体光源の発光タイミングに従って前記複数の固体光源を発光駆動する光源駆動手段とを備え、前記信号処理手段は、通常運用時に前記映像信号の表示分解能をｎビット（ｎは２以上の整数）とし、省電力運用時に前記映像信号の表示分解能をｎ−ｍビット（ｍは１以上の整数）に制限することにより、ｎ−ｍビットに制限された前記映像信号の表示分解能に応じて前記複数の固体光源の発光時間を減少させるように前記光源駆動手段を制御するものである。
【００１２】
また、本発明に係るマルチビジョン投射型表示装置は、投射型映像表示装置を複数組み合わせて構成されたマルチビジョン投射型表示装置であって、各前記信号処理手段は、前記複数の固体光源の発光時間をそれぞれ同じ割合で減少させるように各前記光源駆動手段を制御するものである。
【発明の効果】
【００１３】
本発明の投射型映像表示装置によれば、複数の固体光源と、信号処理手段と、光源駆動手段とを備え、信号処理手段は、通常運用時に映像信号の表示分解能をｎビットとし、省電力運用時に映像信号の表示分解能をｎ−ｍビットに制限することにより、ｎ−ｍビットに制限された映像信号の表示分解能に応じて複数の固体光源の発光時間を減少させるように光源駆動手段を制御する。
【００１４】
したがって、省電力モード時に固体光源の駆動電流値を下限まで下げることによって、消費電力を抑制することができ、さらに固体光源の発光時間を減少させることによって、消費電力を一層抑制することができる。
【００１５】
また、本発明のマルチビジョン投射型表示装置によれば、各信号処理手段は、複数の固体光源の発光時間をそれぞれ同じ割合で減少させるように各光源駆動手段を制御するため、固体光源の点灯時間と輝度の関係は線形となり、省電力運用時にマルチビジョン投射型表示装置における複数画面間の輝度・色度の均一性を損なうことなく、消費電力を抑制することができる。
【図面の簡単な説明】
【００１６】
【図１】実施の形態１に係る投射型映像表示装置の概略構成図である。
【図２】光源回路の概略構成図である。
【図３】光源点灯タイミング信号と空間光変調器でのデータ処理のタイミングを示す図である。
【図４】Ｒ光源点灯タイミング信号とＲ光源用ＬＥＤに流れる駆動電流波形を示す図である。
【図５】階調表現を表示分解能７ビットとした場合の光源点灯タイミング信号と空間光変調器でのデータ処理のタイミングおよびＲサブフレームのビットパルスを示す図である。
【図６】階調表現を表示分解能７ビットとし、各色のサブフレームを分割して配置した場合の光源点灯タイミング信号と空間光変調器でのデータ処理のタイミングおよびＲサブフレームのビットパルスを示す図である。
【図７】実施の形態２に係るマルチビジョン投射型表示装置の概略構成図である。
【図８】固体光源に用いられるＬＥＤの電流と輝度の特性を示す図である。
【発明を実施するための形態】
【００１７】
＜実施の形態１＞
本発明の実施の形態１について、図面を用いて以下に説明する。図１は、本発明に係る実施の形態１の投射型映像表示装置１００の概略構成図である。投射型映像表示装置１００は、映像信号入力部１と、信号処理手段９と、光源回路４と、光合成部５と、空間光変調器６と、投射レンズ７と、スクリーン８とを備えている。信号処理手段９は、誤差拡散回路２と、信号処理部３とを備えている。光源回路４は、例えばＬＥＤを光源としており、光源回路４の光出力はダイクロイックミラーで構成される光合成部５を経て、空間光変調器６へ入射される。
【００１８】
一方、映像信号は外部から映像信号入力部１に入力され、誤差拡散回路２を経て、信号処理部３に入力される。信号処理部３は、映像信号のフレームを、Ｒ（赤）、Ｇ（緑）、Ｂ（青）の各色の成分のパルス幅変調デジタル表示データのサブフレームに変換（分割）し、空間光変調器６へ出力する。さらに、信号処理部３は、各サブフレームに同期したＲ，Ｇ，Ｂの各色のＬＥＤを発光させるための光源点灯タイミング信号を生成し、光源回路４へ出力する。
【００１９】
空間光変調器６は、例えばＤＭＤ（Digital-Micro mirror-Device）で構成され、信号処理部３より入力されたＲ，Ｇ，Ｂの各色の成分のパルス幅変調デジタル表示データに基づいて、光源回路４からの３色の出射光を強度変調することにより、投射レンズ７を介してスクリーン８へ投射することで、映像がスクリーン８に表示される。
【００２０】
ここで、空間光変調器６がＤＭＤで構成される場合、可動マイクロミラーの反応速度から、表示分解能がｎビット（ｎビットは２以上の整数）程度に制限されている。このため、低輝度側で人間の視覚感度が上回ってしまい、１階調の差を認識できる。いわゆる偽輪郭が知覚されやすくなるが、偽輪郭の問題を解決するために、ｎビットの映像信号をガンマ変換にてｎビット以上に上げた映像信号が映像信号入力部１に入力される。しかし、空間光変調器６はｎビット程度に制限されていることから、ｎビット以上の映像信号をｎビット程度に変換しなければならない。このような場合、誤差拡散法により量子化を行い、擬似的にｎビット以上の階調を表現できる誤差拡散法が有効である。なお、誤差拡散法は公知である（例えば特許文献１，２）。
【００２１】
すなわち、誤差拡散回路２は、通常運用時においては映像信号入力部１から入力されたｎビット以上の映像信号の表示分解能をｎビットとし、映像信号を信号処理部３へ出力する。一方、省電力運用時においては、信号処理部３は、映像信号の表示分解能を制限し、誤差拡散回路２は、通常運用時の動作に加えて、信号処理部３で制限された映像信号の表示分解能を補正する。省電力運用時での誤差拡散回路２および信号処理部３の動作の詳細については、後述することとする。
【００２２】
ここで、空間光変調器６においてパルス幅強度変調する際の最小ビットのパルス幅は、空間光変調器６の反応速度で決定される。パルス幅強度変調にて、階調表現する場合、ｎビット（ｎは２以上の整数）はｎ−１ビットの２倍の期間が必要であるため、最小ビットのパルス幅時間をａとすると、表示分解能ｎビットを表現するサブフレーム期間は、下記の式（１）のように表すことができる。
【００２３】
【数１】
2014085463.tif 000003
【００２４】
上記のように、階調表現の表示分解能はサブフレームの期間で決定される。したがって、できるだけ多くの階調を表現するため、通常は、映像信号のフレーム期間において、できるだけ多くのサブフレームが使用されている。図３は、光源点灯タイミング信号と空間光変調器６でのデータ処理のタイミングチャートを示す図であり、映像信号を表示分解能８ビットの階調表現で表示する場合のＲサブフレームのビットパルス幅を示している。なお、図３では図示を省略するが、ＧサブフレームとＢサブフレームについても、Ｒサブフレームと同様のビットパルス幅である。
【００２５】
次に、図２を用いて光源回路４の詳細について説明する。図２は、光源回路４の概略構成図である。光源回路４は、赤色（Ｒ）光を発するＲ光源用ＬＥＤ４１と、Ｒ光源用駆動回路４０と、緑色（Ｇ）光を発するＧ光源用ＬＥＤ４３と、Ｇ光源用駆動回路４２と、青色（Ｂ）光を発するＢ光源用ＬＥＤ４５と、Ｂ光源用駆動回路４４とを備えている。Ｒ光源用ＬＥＤ４１は、Ｒ光源用駆動回路４０からパルス駆動で駆動電流値が制御され、信号処理部３からの光源点灯タイミングに従って点灯動作する。
【００２６】
これと同様に、Ｇ光源用ＬＥＤ４３はＧ光源用駆動回路４２からパルス駆動で駆動電流値が制御され、信号処理部３からの光源点灯タイミングに従って点灯動作し、Ｂ光源用ＬＥＤ４５はＢ光源用駆動回路４４からパルス駆動で駆動電流値が制御され、信号処理部３からの光源点灯タイミングに従って点灯動作する。なお、Ｒ，Ｇ，Ｂ光源用ＬＥＤ４１，４３，４５が固体光源に相当し、Ｒ，Ｇ，Ｂ光源用駆動回路４０，４２，４４が光源駆動手段に相当する。
【００２７】
次に、図４と図５を用いて、省電力運用時におけるＲ，Ｇ，Ｂ光源用ＬＥＤ４１，４３，４５の点灯タイミングについて説明する。図４は、Ｒ光源点灯タイミング信号とＲ光源用ＬＥＤ４１に流れる駆動電流波形を示す図であり、図５は、階調表現を表示分解能７ビットとした場合の光源点灯タイミング信号と空間光変調器６でのデータ処理のタイミングおよびＲサブフレームのビットパルスを示す図である。
【００２８】
Ｒ光源用駆動回路４０は、信号処理部３から入力されたＲ光源点灯タイミングに合わせて、同期整流方式にて降圧された電源からＲ光源用ＬＥＤ４１に電流を供給する。図４に示すように、Ｒ光源用ＬＥＤ４１には、常にリップル電流が流れる。リップル電流幅は回路によって一意的に決まり、同一駆動回路にて高い電流値から低い電流値まで駆動すると、低い電流値では駆動電流値に対してリップル電流値が占める割合が大きくなる。
【００２９】
Ｒ光源用ＬＥＤ４１に流れる電流変化は、Ｒ光源用ＬＥＤ４１の点灯輝度変化となるため、駆動電流値に対してリップル電流値が占める割合が小さい場合は表示される映像にほとんど影響ないが、割合が大きくなると、Ｒ光源用ＬＥＤ４１の点灯むらとなり、その結果、各ビットに対応する輝度に差が生じ、投射される映像の階調不良を引き起こす。駆動電流値が高い場合は、駆動電流値に対し、リップル電流値は十分低く映像には影響しないが、駆動電流値が低い場合には、映像の階調不良を引き起こすこととなる。なお、Ｇ光源用ＬＥＤ４３、Ｂ光源用ＬＥＤ４５についても、Ｒ光源用ＬＥＤ４１と同様の問題が生じる。
【００３０】
Ｒ，Ｇ，Ｂ光源用駆動回路４０，４２，４４の駆動電流値を下げることにより、Ｒ，Ｇ，Ｂ光源用ＬＥＤ４１，４３，４５の消費電力を下げることができるが、上記のように映像の階調不良を引き起こすため、駆動電流値を下げて、消費電力を下げることには限界がある。
【００３１】
そこで、信号処理部３は、外部から入力された映像信号のフレームを、Ｒ，Ｇ，Ｂの各色の成分のパルス幅変調デジタル表示データのサブフレームに変換する際、各サブフレームの期間を短くし、各サブフレームに同期したＲ，Ｇ，Ｂの各色の光源用ＬＥＤ４１，４３，４５を発光させるための光源点灯タイミング信号を生成する。光源点灯タイミング信号が光源回路４へ入力され、Ｒ，Ｇ，Ｂ光源用駆動回路４０，４２，４４がＲ，Ｇ，Ｂ光源用ＬＥＤ４１，４３，４５の点灯時間（発光時間）を減少させることで、消費電力を下げることができる。
【００３２】
表示分解能ｎビットを表現するサブフレーム期間は、式（１）のように表され、最小ビットのパルス幅の２ｎ−１倍であることから、例えば、表示分解能をｎビット（ｎは２以上の整数）表現からｎ−１ビット（より一般的にはｎ−ｍ、ｍは１以上の整数）表現に変換することにより、サブフレーム期間を約１／２とすることができる。その結果、Ｒ，Ｇ，Ｂ光源用ＬＥＤ４１，４３，４５で消費される電力を約５０％削減できる。
【００３３】
より具体的には、表示分解能を図３に示す８ビット表現から、図５に示す７ビット表現に変換することにより、Ｒのパルス幅変調デジタル表示データのサブフレーム（Ｒサブフレーム）期間が約１／２になるため、Ｒ光源用ＬＥＤ４１の消費電力が約５０％削減可能となる。
【００３４】
このため、信号処理部３は、通常運用時においては映像信号の表示分解能をｎビットとし、ｎビットのＲ，Ｇ，Ｂの各色の成分のパルス幅変調デジタル表示データのサブフレームを空間光変調器６へ出力する。一方、信号処理部３は、省電力運用時においては映像信号の表示分解能をｎ−１ビットに制限し、ｎ−１ビットのＲ，Ｇ，Ｂの各色の成分のパルス幅変調デジタル表示データのサブフレームを空間光変調器６へ出力するとともに、各サブフレームに同期した光源点灯タイミングを生成し、光源回路４に出力する。これにより、信号処理部３は、省電力運用時においては、ｎ−１ビットに制限された映像信号の表示分解能に応じてＲ，Ｇ，Ｂ光源用ＬＥＤ４１，４３，４５の点灯時間を減少させるように、Ｒ，Ｇ，Ｂ光源用駆動回路４０，４２，４４を制御する。
【００３５】
ここで、映像信号の表示分解能がｎビットであり、映像信号入力部１にて映像信号のＤレンジを減少させ表示分解能がｎ−１ビット表現の映像信号に変換した場合、例えば、表示分解能が８ビット表現の映像信号を７ビット表現の映像信号に変換すると、低輝度側で人間の視覚感度が上回ることになり、いわゆる偽輪郭等の画質劣化が知覚されやすくなる。
【００３６】
このため、実施の形態１に係る投射型映像表示装置１００では、映像信号のＤレンジを減少させることなく、誤差拡散回路２は誤差拡散法を用いて、映像信号の表示分解能を補正する。より具体的には、誤差拡散回路２は、省電力運用時に信号処理部３によりｎ−１ビットに制限された映像信号の表示分解能を、誤差拡散法を用いて補正し、補正後の映像信号のサブフレームについて信号処理部３を経て空間光変調器６へ出力する。
【００３７】
誤差拡散回路２による補正によって、空間光変調器６は、ｎビットからｎ−１ビットに制限された映像信号の表示分解能を擬似的にｎビット以上の階調で表現することができる。これにより、表示分解能をｎ−１ビット表現に制限した際に発生する画質劣化を最小限に軽減することができる。なお、上記のように誤差拡散法は公知であり、誤差拡散回路２は、このような公知の方法を用いて、ｎ−１ビットに制限された映像信号の表示分解能を補正する。
【００３８】
誤差拡散回路２による補正を行うことで、信号処理部３は、通常運用時においては、ｎビット以上の映像信号の表示分解能をｎビットとし、省電力モード時においては、映像信号の表示分解能をｎ−１ビットに制限するように切り替えることにより、表示分解能の低下による画質劣化を最小限に軽減することができる。
【００３９】
以上のように、本実施の形態１に係る投射型映像表示装置１００では、Ｒ，Ｇ，Ｂ光源用ＬＥＤ４１，４３，４５と、信号処理手段９と、Ｒ，Ｇ，Ｂ光源用駆動回路４０，４２，４４とを備え、信号処理部３は、通常運用時に映像信号の表示分解能をｎビットとし、省電力運用時に映像信号の表示分解能をｎ−ｍビットに制限することにより、ｎ−ｍビットに制限された映像信号の表示分解能に応じてＲ，Ｇ，Ｂ光源用ＬＥＤ４１，４３，４５の点灯時間を減少させるようにＲ，Ｇ，Ｂ光源用駆動回路４０，４２，４４を制御する。
【００４０】
したがって、省電力モード時は、Ｒ，Ｇ，Ｂ光源用ＬＥＤ４１，４３，４５の駆動電流値を下限まで下げることによって、消費電力を抑制することができ、さらにＲ，Ｇ，Ｂ光源用ＬＥＤ４１，４３，４５の点灯時間を減少させることによって、消費電力を一層抑制することができる。すなわち、エネルギー消費量の削減を実現できる。
【００４１】
信号処理手段９は、省電力運用時において、ｎ−ｍビットに制限された映像信号の表示分解能を誤差拡散法によって補正する誤差拡散回路２を備えたため、映像の階調表現分解能が減少し、人間の視覚感度が上回り偽輪郭が知覚されることを防止しつつ、消費電力を抑制できる。
【００４２】
なお、投射型映像表示装置１００の固体光源としてＬＥＤを採用したが、レーザーダイオード等のパルス発光することのできる光源を採用してもよく、この場合にも上記の方法にて消費電力を抑制できる。
【００４３】
また、信号処理部３は、同一色のすべてのビットパルスが連続するサブフレームを形成しているが、複数の色成分ごとのサブフレームを各階調ビットごとに分割し、間隔をあけて配置することで複数のサブフレームを形成してもよい。
【００４４】
さらに、複数の色成分ごとのサブフレームを特定の階調ビットを基準とした単位に分割し、間隔をあけて配置することで複数のサブフレームを形成してもよい。すなわち、図６に示すように、各ビットパルスのうち、ビットのパルス幅が空間光変調器６の反応速度に比べ十分あるビットについては、そのビットパルスを特定の階調ビットを基準とした単位に分割してサブフレームとして配置してもよい。
【００４５】
図６は、表示分解能７ビットの階調表現とし、各色のサブフレームを６ビットを基準とした単位に分割して配置した場合の光源点灯タイミング信号と空間光変調器６でのデータ処理のタイミングおよびＲサブフレームのビットパルスを示す図である。図６では、Ｒサブフレームのみ図示しているが、ＧサブフレームとＢサブフレームについても、Ｒサブフレームと同様である。
【００４６】
時分割で各色成分のデジタルデータを空間光変調器６にて制御し、カラー映像を合成する際、各色の繰り返しが十分高速でない場合、カラーブレークアップと呼ばれる現象が起きる。ここで、カラーブレークアップとは、視聴者が視点を急速に移動させた場合に虹のような映像が瞬間的に見える現象のことである。
【００４７】
信号処理手段９（より具体的には、信号処理部３）は、複数の色成分ごとのサブフレームを各階調ビットごとにまたは特定の階調ビットを基準とした単位に分割して複数のサブフレームを生成する、すなわち、信号処理部３は、各ビットパルスごとに間隔をあけて配置してサブフレームを形成したり、ビットパルスを特定の階調ビットを基準とした単位に分割して間隔をあけて配置してサブフレームを形成したりするなどの処理を行うため、各色の点灯の繰り返しを高速にすることができ、カラーブレークアップ現象を低減・防止する効果がある。
【００４８】
＜実施の形態２＞
次に、実施の形態２に係るマルチビジョン投射型表示装置１０５について説明する。図７は、実施の形態２に係るマルチビジョン投射型表示装置１０５の概略構成図であり、図８は、固体光源に用いられるＬＥＤの電流と輝度の特性を示す図である。なお、実施の形態２において、実施の形態１で説明したものと同一の構成要素については同一符号を付して説明は省略する。
【００４９】
マルチビジョン投射型表示装置１０５は、複数の投射型表示装置１０１（１００），１０２（１００），１０３（１００），１０４（１００）を組み合わせてより大きな表示画面を構成したものである。マルチビジョン投射型表示装置１０５は、例えば投射型映像表示装置１００を２段×２列配列して構成されている。投射型表示装置１０１〜１０４は、それぞれのＲ，Ｇ，Ｂ光源用駆動回路４０，４２，４４において、各色の光源駆動電流を調整し、４画面間の輝度・色度が均一になるように調整されている。
【００５０】
図８に示すように、投射型映像表示装置に用いられるＬＥＤおよびレーザーダイオードは、通常、電流と輝度の関係は線形とはならない。また、固体光源の光源色および個体差によって、特性に差がある。このため、マルチビジョン投射型表示装置１０５において、消費電力を減少させるため、光源駆動電流を一定の割合で減少させた場合、４画面間の輝度・色度の均一性を損なうことになる。
【００５１】
しかし、マルチビジョン投射型表示装置１０５を構成する投射型表示装置１０１〜１０４において、各信号処理部３がそれぞれ実施の形態１において説明したように各サブフレームの期間を短くし、Ｒ，Ｇ，Ｂ光源用ＬＥＤ４１，４３，４５の点灯時間を同じ割合で減少させるようにＲ，Ｇ，Ｂ光源用駆動回路４０，４２，４４を制御することで、消費電力を下げるよう動作した場合、Ｒ，Ｇ，Ｂ光源用ＬＥＤ４１，４３，４５の点灯時間と輝度との関係は線形となる。これにより、４画面間の輝度・色度の均一性を損なうことなく、マルチビジョン投射型表示装置１０５の消費電力を減少させることができる。なお、本実施の形態では４画面のマルチビジョン投射型表示装置を例に説明したが、特に画面数の制限はない。
【００５２】
なお、本発明は、その発明の範囲内において、各実施の形態を自由に組み合わせたり、各実施の形態を適宜、変形、省略することが可能である。
【符号の説明】
【００５３】
２  誤差拡散回路、９  信号処理手段、４０  Ｒ光源用駆動回路、４１  Ｒ光源用ＬＥＤ、４２  Ｇ光源用駆動回路、４３  Ｇ光源用ＬＥＤ、４４  Ｂ光源用駆動回路、４５  Ｂ光源用ＬＥＤ、１００  投射型映像表示装置、１０５  マルチビジョン投射型表示装置。
【図１】
2014085463.tif 000004
【図２】
2014085463.tif 000005
【図３】
2014085463.tif 000006
【図４】
2014085463.tif 000007
【図５】
2014085463.tif 000008
【図６】
2014085463.tif 000009
【図７】
2014085463.tif 000010
【図８】
2014085463.tif 000011